(57)【要約】  ラジオと共に使用するための携帯音楽プレーヤであって、筐体と、この筐体にあってデジタル音声データが受信される受信機ソケットと、筐体内に収容されているＤ／Ａ音声変換器と、筐体にあって楽曲が無線送信機へ転送される第一の転送ソケットと、筐体にあってその楽曲に関するメタデータが無線送信機へ転送される第二の転送ソケットと、筐体にあって再生のために楽曲を選択するためのダイヤルとを含む携帯音楽プレーヤ。方法及びコンピュータが読み出し可能な記憶媒体も記載されている。
2007534030.tif 000002
【特許請求の範囲】
【請求項１】
ラジオと共に使用するための携帯音楽プレーヤであって、
筐体と、
この筐体にあってデジタル音声データが受信される受信機ソケットと、
前記筐体内に収容されているＤ／Ａ音声変換器と、
前記筐体にあって楽曲が無線送信機へ転送される第一の転送ソケットと、
前記筐体にあって前記楽曲に関するメタデータが前記無線送信機へ転送される第二の転送ソケットと、
前記筐体にあって再生のために楽曲を選択するためのダイヤルと
を具備する携帯音楽プレーヤ。
【請求項２】
前記受信機ソケットが前記音楽プレーヤのための制御指令をも受信する、請求項１に記載の携帯音楽プレーヤ。
【請求項３】
ヘッドホンを挿入するためのステレオミニジャックコネクタを更に具備する、請求項１に記載の携帯音楽プレーヤ。
【請求項４】
ＬＥＤ表示装置を更に具備する、請求項１に記載の携帯音楽プレーヤ。
【請求項５】
液晶表示装置を更に具備する、請求項１に記載の携帯音楽プレーヤ。
【請求項６】
前記受信機ソケットがＵＳＢソケットを含む、請求項１に記載の携帯音楽プレーヤ。
【請求項７】
前記ＵＳＢソケットがＵＳＢ１．１ソケットである、請求項６に記載の携帯音楽プレーヤ。
【請求項８】
前記ＵＳＢソケットがＵＳＢ２．０ソケットである、請求項６に記載の携帯音楽プレーヤ。
【請求項９】
前記ＵＳＢソケットがＵＳＢ２．０ＯＴＧソケットである、請求項６に記載の携帯音楽プレーヤ。
【請求項１０】
前記無線送信機がＦＭ送信機またはＲＦ送信機である、請求項１に記載の携帯音楽プレーヤ。
【請求項１１】
前記無線送信機がラジオデータシステム（ＲＤＳ）送信機を更に含む、請求項１０に記載の携帯音楽プレーヤ。
【請求項１２】
前記楽曲に関する前記メタデータが、前記無線送信機によるＲＤＳデータとしての送信のために、前記第二の転送ソケットを介して転送される、請求項１１に記載の携帯音楽プレーヤ。
【請求項１３】
現在送信中の楽曲の名称を前記メタデータが含んでいる、請求項１２に記載の携帯音楽プレーヤ。
【請求項１４】
前記携帯デジタル音楽プレーヤに関する情報が、前記無線送信機によるＲＤＳデータとしての送信のために、前記第二の転送ソケットを介して前記無線送信機へ転送される、請求項１１に記載の携帯音楽プレーヤ。
【請求項１５】
前記携帯デジタル音楽プレーヤに関する前記情報が識別番号を含んでいる、請求項１４に記載の携帯音楽プレーヤ。
【請求項１６】
放送周波数を選択するための周波数選択器を更に具備する、請求項１０に記載の携帯音楽プレーヤ。
【請求項１７】
前記周波数選択器が無線周波数走査同調器を含む、請求項１６に記載の携帯音楽プレーヤ。
【請求項１８】
ラジオと共に使用するための携帯音楽プレーヤであって、
筐体と、
この筐体にあってデジタル音声データが受信される受信機ソケットと、
前記筐体内に収容されているＤ／Ａ音声変換器と、
楽曲を送信するための無線送信機と、
前記楽曲に関するメタデータを送信するためのラジオデータシステム送信機と、
前記筐体にあって再生のために楽曲を選択するためのダイヤルと
を具備する携帯音楽プレーヤ。
【請求項１９】
テレビと共に使用するための携帯ビデオプレーヤであって、
筐体と、
この筐体にあってデジタル映像データが受信される受信機ソケットと、
前記筐体内に収容されているＤ／Ａ映像変換器と、
前記筐体にあって映像がテレビ送信機へ転送される第一の転送ソケットと、
前記筐体にあって前記映像に関するメタデータが前記テレビ送信機へ転送される第二の転送ソケットと、
前記筐体にあって再生のために映像を選択するためのダイヤルと
を具備する携帯ビデオプレーヤ。
【請求項２０】
テレビと共に使用するための携帯ビデオプレーヤであって、
筐体と、
この筐体にあってデジタル映像データが受信される受信機ソケットと、
前記筐体内に収容されているＤ／Ａ映像変換器と、
映像とこの映像に関するメタデータとを送信するためのテレビ送信機と、
前記筐体にあって再生のために映像を選択するためのダイヤルと
を具備する携帯ビデオプレーヤ。
【請求項２１】
関連メタデータ付き音声用の携帯記憶装置であって、
筐体と、
この筐体内に収容されていて関連メタデータ付きデジタル音声を記憶するメモリと、
前記筐体内に収容されているＤ／Ａ音声変換器と、
前記筐体にあって楽曲及びその関連メタデータが無線送信機へ転送される転送ソケットと
を具備する携帯記憶装置。
【請求項２２】
前記無線送信機がＦＭ送信機またはＲＦ送信機を含んでおり、このＦＭ送信機またはＲＦ送信機がラジオデータシステム（ＲＤＳ）送信機を包んでおり、前記ＦＭ送信機またはＲＦ送信機によって同時に送信される楽曲に関連する前記メタデータを前記ＲＤＳ送信機が送信する、請求項２１に記載の携帯記憶装置。
【請求項２３】
現在転送中の楽曲に関するデータを前記メタデータが含んでいる、請求項２１に記載の携帯記憶装置。
【請求項２４】
前記携帯記憶装置に関するデータを前記メタデータが含んでいる、請求項２２に記載の携帯記憶装置。
【請求項２５】
放送周波数を選択するための周波数選択器を更に具備する、請求項２１に記載の携帯記憶装置。
【請求項２６】
前記周波数選択器が無線周波数走査同調器を含む、請求項２５に記載の携帯記憶装置。
【請求項２７】
関連メタデータ付き映像用の携帯記憶装置であって、
筐体と、
この筐体内に収容されていて関連メタデータ付きデジタル映像を記憶するメモリと、
前記筐体内に収容されているＤ／Ａ映像変換器と、
前記筐体にあって映像及びその関連メタデータがテレビへ転送される転送ソケットと
を具備する携帯記憶装置。
【請求項２８】
デジタル音楽ライブラリ作成装置であって、
筐体と、
この筐体にあってアナログ音声が受信される受信機ソケットと、
前記筐体内に収容されていてアナログ音声をデジタル音声へ変換するためのＡ／Ｄ変換器と、
前記筐体内に収容されていて楽曲に関するメタデータを識別するためのメタデータ識別装置と、
前記筐体内に収容されていて識別された前記メタデータをデジタル音楽ライブラリ内の前記楽曲と関連させるためのデータベース管理装置と
を具備するデジタル音楽ライブラリ作成装置。
【請求項２９】
前記メタデータ識別装置が楽曲メタデータのデータベース内で前記楽曲に適合するメタデータを見つける、請求項２８に記載のデジタル音楽ライブラリ作成装置。
【請求項３０】
楽曲メタデータの前記データベース内へのキーを操作するために、前記メタデータ識別装置が前記楽曲の電子指紋を使用する、請求項２９に記載のデジタル音楽ライブラリ作成装置。
【請求項３１】
楽曲の電子指紋によって索引を付けられた楽曲メタデータのデータベースを作成するための楽曲データベース作成装置を更に具備する、請求項２８に記載のデジタル音楽ライブラリ作成装置。
【請求項３２】
手作業で入力された入力を前記メタデータ識別装置が受け入れる、請求項２８に記載のデジタル音楽ライブラリ作成装置。
【請求項３３】
前記メタデータ識別装置が音声入力からメタデータを抽出する、請求項２８に記載のデジタル音楽ライブラリ作成装置。
【請求項３４】
前記メタデータ識別装置が映像入力からメタデータを抽出する、請求項２８に記載のデジタル音楽ライブラリ作成装置。
【請求項３５】
前記メタデータ識別装置が少なくとも一つのインターネットウェブページからメタデータを抽出する、請求項２８に記載のデジタル音楽ライブラリ作成装置。
【請求項３６】
前記メタデータ識別装置が電子音楽ガイドからメタデータを抽出する、請求項２８に記載のデジタル音楽ライブラリ作成装置。
【請求項３７】
関連メタデータ付き音声を転送するための方法であって、
デジタル音声をアナログ音声へ変換することと、
アナログ楽曲とそれに関連するメタデータと無線送信機へ転送することと
を具備する方法。
【請求項３８】
前記無線送信機がＦＭ送信機またはＲＦ送信機であり、前記メタデータをラジオデータシステム（ＲＤＳ）のデータとして転送することを更に具備する、請求項３７に記載の方法。
【請求項３９】
現在転送中の楽曲に関するデータを前記メタデータが含んでいる、請求項３７に記載の方法。
【請求項４０】
放送周波数を選択することを更に具備する、請求項３７に記載の方法。
【請求項４１】
前記選択が無線周波数を走査することを更に含んでいる、請求項４０に記載の方法。
【請求項４２】
デジタル音楽ライブラリを作成するための方法であって、
アナログ音声を受信することと、
前記アナログ音声をデジタル音声へ変換することと、
楽曲に関するメタデータを識別することと、
この識別されたメタデータをデジタル音楽ライブラリ内の前記楽曲と関連させることと
を具備する方法。
【請求項４３】
前記識別することが楽曲メタデータのデータベース内で前記楽曲に適合するメタデータを見つける、請求項４２に記載の方法。
【請求項４４】
楽曲メタデータの前記データベース内へのキーを操作するために、前記識別することが前記楽曲の電子指紋を使用する、請求項４３に記載の方法。
【請求項４５】
楽曲の電子指紋によって索引を付けられた楽曲メタデータのデータベースを作成することを更に具備する、請求項４２に記載の方法。
【請求項４６】
手作業で入力された入力を前記識別することが使用する、請求項４２に記載の方法。
【請求項４７】
前記識別することが音声入力からメタデータを抽出する、請求項４２に記載の方法。
【請求項４８】
前記識別することが映像入力からメタデータを抽出する、請求項４２に記載の方法。
【請求項４９】
前記識別することが少なくとも一つのインターネットウェブページからメタデータを抽出する、請求項４２に記載の方法。
【請求項５０】
前記識別することが電子音楽ガイドからメタデータを抽出する、請求項４２に記載の方法。
【請求項５１】
コンピュータが読み出し可能な記憶媒体であって、
デジタル音声をアナログ音声へ変換する段階と、
アナログ楽曲及びその関連メタデータを無線送信機へ送信する段階と
を装置に実行させるためのプログラムコードを記憶している記憶媒体。
【請求項５２】
コンピュータが読み出し可能な記憶媒体であって、
アナログ音声を受信する段階と、
このアナログ音声をデジタル音声へ変換する段階と、
楽曲に関するメタデータを識別する段階と、
この識別されたメタデータをデジタル音楽ライブラリ内の前記楽曲と関連させる段階と
を装置に実行させるためのプログラムコードを記憶している記憶媒体。
【請求項５３】
音声を無線送信機へ転送するための装置であって、
特定のＦＭ周波数での放送のためにアナログ楽曲がＦＭ無線送信機へ転送されるミニジャックと、
前記特定のＦＭ周波数の副搬送波であるラジオデータシステム（ＲＤＳ）へ前記楽曲に関するデジタルメタデータが転送されるＵＳＢソケットと
を具備する装置。
【請求項５４】
音声を無線送信機へ転送するための方法であって、
特定のＦＭ周波数での放送のためにアナログ楽曲をＦＭ無線送信機へ転送することと、
前記特定のＦＭ周波数の副搬送波であるラジオデータシステム（ＲＤＳ）へ前記楽曲に関するデジタルメタデータを転送することと
を具備する方法。
【請求項５５】
コンピュータが読み出し可能な記憶媒体であって、
特定のＦＭ周波数での放送のためにアナログ楽曲をＦＭ無線送信機へ転送する段階と、
前記特定のＦＭ周波数の副搬送波であるラジオデータシステム（ＲＤＳ）へ前記楽曲に関するデジタルメタデータを転送する段階と
を装置に実行させるためのプログラムコードを記憶している記憶媒体。
【発明の詳細な説明】
【技術分野】
【０００１】
本発明の実施形態は、ＭＰ３プレーヤの様なモバイルデジタル音楽プレーヤと、モバイルデジタル音楽送信機とに関するものである。
【背景技術】
【０００２】
デジタル音楽プレーヤは、（ＭＰ３プレーヤの様な）独立形消費者電子装置として、携帯情報端末や携帯電話の様な携帯装置内における付属構成部として、また、家庭内ネットワーク装置として、急増しつつある。聴取者は一般にデジタル楽曲の自分自身の個人的なライブラリを作成し、このライブラリはハードディスクドライブやリムーバブルメモリカードの様な記憶装置に記憶される。デジタル楽曲は、一般に、加入サービス及びピアツーピア交換を経るインターネットを介して、またはコンパクトディスク（『ＣＤ』）から楽曲を変換してそれをＭＰ３ライブラリ中へインポートすることによって、入手される。
【０００３】
デジタル楽曲は、一般に、音声データと、メタデータと呼ばれていて聴取者のライブラリ中の楽曲に索引を付けるために使用される周辺データとを、含んでいる。例えば、ＭＰ３ファイル中では、メタデータはＩＤ３タグを介してアクセスされる。楽曲に索引を付けることによって、聴取者は自分のライブラリを探索してそこにある個々の楽曲にアクセスすることができる。一般に、オーディオプレーヤは、ユーザがメタデータを見るユーザインタフェースを提供している。
【０００４】
図１について述べると、この図１はウィンドウズ（登録商標）メディアプレーヤ用である先行技術のユーザインタフェースの図解であり、ウィンドウフレーム１１０内に表示されているメタデータとウィンドウフレーム１２０内に表示されている個々の楽曲にアクセスするための索引とをこの図解は示している。
【０００５】
デジタル音楽ライブラリを作成するためには多くの作業が必要である。一般に、聴取者は、興味のある一つ以上の楽曲を求めて最初にインターネットを探索し、これらの楽曲の位置を識別して、メディアプレーヤに関連するデータベース中へそれらの楽曲をダウンロードする。楽曲は、一般に、ＭＰ３やＷＭＡの様な標準形式に従ってフォーマットされているデジタルファイルとして記憶される。楽曲が一旦ダウンロードされると、聴取者は、一般に、その楽曲をコンピュータで演奏するためにウィンドウズ（登録商標）メディアプレーヤ（『ＷＭＰ』）やＷｉｎａｍｐ（商標）の様なソフトウェアを使用するか、またはその代わりに、その楽曲を演奏するためにｉＰｏｄ（商標）やＭＰ３プレーヤの様なハードウェア装置を使用する。ＷＭＡファイルは、そのファイル内とそのファイル名自体内とにメタデータを埋め込んでいる。
【０００６】
個人は、しばしば、自分のお気に入りの楽曲をダウンロードして自分達自身の個人的な音楽ライブラリを作成することに何夜も費やす。インターネットから音楽ファイルをダウンロードすることは、レコード業界に使用料を支払うサービスを介してそのファイルを入手しない限り、著作権を侵害することになるかもしれない。
【０００７】
デジタル音楽の世界における短所は、あつらえの音楽ライブラリを作成するのに多くの労力を必要とすることである。その代わりに他人が作成したライブラリを購入することも考えられる。しかし、他の誰かのライブラリはしばしば聴取者の好みに合わず、聴取者はむしろ自分自身のお気に入りの楽曲を集めるほうを好む。
【０００８】
聴取者が自分のお気に入りの楽曲を聞くための人気のある出所は、音楽放送局である。ケーブル放送、衛星放送、及びインターネットは、殆ど総てのジャンルの音楽−クラシック音楽、ロックンロール、ジャズ、８０年代の音楽、その他−用の音楽チャンネルを提供している。聴取者は、その様な放送サービスに加入することによって、自分の好み通りに音楽を楽しむことができる。
【発明の開示】
【発明が解決しようとする課題】
【０００９】
自分の個人的なデジタル音楽ライブラリを作成している聴取者は、その様な放送サービスから自分のお気に入りの楽曲を記録可能であることが理想的であると思っている。しかし、音楽放送局からの生音声の記録は、その様な楽曲を識別してデジタル音楽ライブラリ中へ組み入れるために必要なメタデータを含んでいない。今日の技術を使用しても、聴取者は、音楽放送局から記録したその様な楽曲の各々を適切なメタデータで苦心して分類すること−数百曲のあまり大きくないライブラリを作成するのにさえも何時間も続くことのある処理−をせざるを得ない。
【００１０】
更に、楽曲は音楽放送局によって連続的に演奏されるので、各楽曲を識別することに加えて、聴取者は各楽曲を次の楽曲から手作業で分離しなければならない。
【課題を解決するための手段】
【００１１】
本発明の実施形態は、分類されていて個人的な再生のために容易にアクセスすることのできるデジタル音楽ライブラリを聴取者が容易に作成することを可能にする。本発明の実施形態は、デジタルケーブルを介するかまたは直接放送衛星（『ＤＢＳ』）送信によってＭｕｓｉｃ  Ｃｈｏｉｃｅ、ＤＭＸ、及びその他の広告放送のない音楽サービスの様な音楽チャンネルを受信している米国及び世界中の何千万もの家庭に、解決策を提供する。その様な音楽チャンネルは、現在のところ、演奏中の楽曲を音声フィードが含んでおり、且つ一般に、その楽曲、そのアーティスト、及び放送中の楽曲のレーベルに関する情報を同時の映像フィードが有している、映像及び音声チャンネルとして放送されている。
【００１２】
一つの実施形態では、以下において『ネスト』と呼ばれる装置が、デジタルケーブルボックスまたはデジタル衛星受信機に、ビデオカセットレコーダ（『ＶＣＲ』）またはパーソナルビデオレコーダ（『ＰＶＲ』）が接続されるのと同じやり方で、つまりその受信機の映像出力及び左右の音声出力をこの装置に接続することによって、接続される。一つの実施形態では、ネストは、ＰＶＲとそっくりに、区分に従って記録及び再生する能力を有している。ＰＶＲは、自分が何を記録中であるのかを識別し且つ記録されたショーに名称を付けるために、電子番組表を介して受信されるデータに依存するが、ネストの一つの実施形態は、記録中の楽曲を識別するためにその放送の映像部分中の情報を使用する。あるいはまた、ネストは、記録中の楽曲を識別するために音声波印刷データベースからの情報を使用する。
【００１３】
一つの実施形態では、ネストは聴取者が『全記録』モードか『選択モード』かの何れかで記録することを可能にしている。『全記録』モードでは、聴取者は、自分が楽しむジャンルの音楽を放送している音楽チャンネルに自分の受信機を設定し、ネスト上の記録ボタンを押す。すると、聴取者がネスト上の『停止』を押すことによって記録処理を停止するかまたは自分の受信機のチャンネルを変えるまで、ネストはその記録期間に演奏される総ての楽曲を記録して分類する。あるいはまた、聴取者によって設定された予め設定されている期間の最後で記録を停止する様にネストをプログラムすることができる。
【００１４】
本発明の一つの実施形態では、ネストは各楽曲を一度記録し、ある楽曲が二度以上放送されると、その楽曲が再放送されるたびに、デジタル著作権を管理するために、実質的には追加回数だけ記録されているとネストがその楽曲に印を付ける。
【００１５】
このやり方でネストがその聴取者用の個人的なデジタル音楽ライブラリを作成する。平均的な楽曲は約３分続くと仮定し且つ再放送率が２５％であると仮定すると、ネストは一般的な一日２４時間の動作期間中に約３６０曲を記録する。従って、もし一つの特定のジャンルチャンネルに接続したままにしておくと、約一週間の昼夜記録期間中に、ネストは２，５００曲超のライブラリを作成する。多くの場合、聴取者は自分が眠っている夜中にしか記録しない。これは、記録処理が記録中は受信機が音楽チャンネルに設定されていることを必要とし、しかも聴取者がテレビを見たければその聴取者は視聴チャンネルを音楽チャンネルから元々変更するであろうからである。従って、毎日のテレビの視聴が平均的である家庭では、特定のジャンルに関する２，５００曲超のライブラリがネストによって二週間以内の夜間記録で作成される。
【００１６】
『選択モード』では、ネストは特定のアーティストまたは楽曲を記録する様に設定され、その後にそのアーティストまたは楽曲が放送される時にネストがその音楽を記録する。その所望の楽曲またはアーティストがジャンルチャンネルの一つで頻繁に演奏されるのであれば、『選択モード』が最も有用である。しかし、その所望の楽曲またはアーティストがそれほど頻繁には演奏されないのであれば、その要求された音楽をネストが記録するという保証はない。
【００１７】
ネスト内に記録された楽曲は、多くの異なるやり方で聞くことができる。ネスト内の楽曲を聴取者の居間で聞く便利な方法は、ネストの音声出力をアンプ及びステレオ装置に接続し、映像出力をテレビに接続することである。聴取者は、その後に、前面パネルインタフェースを介してかまたはテレビインタフェースを介する遠隔操作によるかの何れかで、自分の聞きたい楽曲を選択することができる。聴取者は、プレイリストを作成することができるか、または放送音楽チャンネルによって演奏された順番で楽曲を聞くことを選択することができる。
【００１８】
ネスト内の楽曲を聞くことに加えて、本発明の一つの実施形態では、聴取者は、『エッグ』と呼ばれてネストの一つ以上の結合ポートにプラグで接続することのできる携帯デジタル音楽プレーヤに一組の楽曲を『借り出す』ことができる。聴取者が自分のエッグ内の楽曲を聞き終えると、その特定のプレーヤでもはや聞かれていない楽曲を返却して新しい聴取のための新しい楽曲を借り出すために、聴取者はネストの受け台へ自分のエッグをプラグで接続して戻す。
【００１９】
本発明の一つの実施形態では、ネストは、記録された楽曲にデジタル著作権管理を組み入れ、これによってその記録済楽曲の無制限な複製を聴取者が自由に作ることを防止する。一つの実施形態では、特定の楽曲がネストへ放送された総回数までしかその楽曲を借り出せない様に聴取者が制限を受ける。更に、エッグはただ一つのネストに登録され、そのエッグはこのエッグが登録されているネストからしか楽曲を借り出すことができない。
【００２０】
本発明の一つの実施形態は『シェル』と呼ばれる装置をも含んでおり、この装置は自動車内のオーディオデッキの様なラジオでエッグ内の楽曲を再生するために使用される。シェルは、エッグから来るアナログ音声を指定放送周波数でラジオへ送信する無線送信機を含んでいる。一つの実施形態では、シェルは、ラジオデータシステム（『ＲＤＳ』）の副周波数を使用してメタデータをも送信して、メタデータがラジオの液晶表示装置（『ＬＣＤ』）に表示されることを可能にする。
【００２１】
本発明の一つの実施形態では、ネストは、楽曲記憶用ハードディスク、音声／映像符号及び復号プラットホーム、画面表示構成部、任意の前面パネルナビゲーションボタン及びスクロールホイール、ＬＣＤパネル、並びに音声／映像ジャック、ＵＳＢ、ファイヤワイヤ及び電源ジャックを含む種々の外部インタフェースを有する装置を含んでいる。更に、この主ネスト装置は、四つのエッグ用の結合機構を備える四つのソケットを含んでいる。一つの実施形態では、そのソケットには、エッグの再充電とエッグとの間での楽曲の転送との両方のための導線がある。ネストは、聴取者の受信機からアナログ音声とアナログ映像とを受信して、音声信号と映像信号との両方をリアルタイムで符号化する。分類のために、アーティスト名、楽曲名、並びにレーベル及び年を映像放送から抽出するために、その信号の映像部分が分析される。一つの実施形態では、アナログ音声は映像とは別個に符号化される。
【００２２】
この様に、ラジオと共に使用するための携帯音楽プレーヤが記載されている。この携帯音楽プレーヤは、筐体と、この筐体にあってデジタル音声データが受信される受信機ソケットと、筐体内に収容されているＤ／Ａ音声変換器と、筐体にあって楽曲が無線送信機へ転送される第一の転送ソケットと、筐体にあってその楽曲に関するメタデータが無線送信機へ転送される第二の転送ソケットと、筐体にあって再生のために楽曲を選択するためのダイヤルとを含んでいる。
【００２３】
ラジオと共に使用するための別の携帯音楽プレーヤが記載されている。この携帯音楽プレーヤは、筐体と、この筐体にあってデジタル音声データが受信される受信機ソケットと、筐体内に収容されているＤ／Ａ音声変換器と、楽曲を送信するための無線送信機と、その楽曲に関するメタデータを送信するためのラジオデータシステム送信機と、筐体にあって再生のために楽曲を選択するためのダイヤルとを含んでいる。
【００２４】
テレビと共に使用するための携帯ビデオプレーヤが記載されている。この携帯ビデオプレーヤは、筐体と、この筐体にあってデジタル映像データが受信される受信機ソケットと、筐体内に収容されているＤ／Ａ映像変換器と、筐体にあって映像がテレビ送信機へ転送される第一の転送ソケットと、筐体にあってその映像に関するメタデータがテレビ送信機へ転送される第二の転送ソケットと、筐体にあって再生のために映像を選択するためのダイヤルとを含んでいる。
【００２５】
テレビと共に使用するための更なる携帯ビデオプレーヤが記載されている。この携帯ビデオプレーヤは、筐体と、この筐体にあってデジタル映像データが受信される受信機ソケットと、筐体内に収容されているＤ／Ａ映像変換器と、映像とこの映像に関するメタデータとを送信するためのテレビ送信機と、筐体にあって再生のために映像を選択するためのダイヤルとを含んでいる。
【００２６】
関連メタデータ付き音声用の携帯記憶装置が記載されている。この携帯記憶装置は、筐体と、この筐体内に収容されていて関連メタデータ付きデジタル音声を記憶するメモリと、筐体内に収容されているＤ／Ａ音声変換器と、筐体にあって楽曲及びその関連メタデータが無線送信機へ転送される転送ソケットとを含んでいる。
【００２７】
関連メタデータ付き映像用の携帯記憶装置が記載されている。この映像用の携帯記憶装置は、筐体と、この筐体内に収容されていて関連メタデータ付きデジタル映像を記憶するメモリと、筐体内に収容されているＤ／Ａ映像変換器と、筐体にあって映像及びその関連メタデータがテレビへ転送される転送ソケットとを含んでいる。
【００２８】
筐体と、この筐体にあってアナログ音声が受信される受信機ソケットと、筐体内に収容されていてアナログ音声をデジタル音声へ変換するためのＡ／Ｄ変換器と、筐体内に収容されていて楽曲に関するメタデータを識別するためのメタデータ識別装置と、筐体内に収容されていて識別されたメタデータをデジタル音楽ライブラリ内の楽曲と関連させるためのデータベース管理装置とを含む、デジタル音楽ライブラリ作成装置が記載されている。
【００２９】
関連メタデータ付き音声を転送するための方法が記載されている。この方法は、デジタル音声をアナログ音声へ変換することと、アナログ楽曲及びその関連メタデータを無線送信機へ転送することとを含んでいる。
【００３０】
デジタル音楽ライブラリを作成するための方法が記載されている。この方法は、アナログ音声を受信することと、このアナログ音声をデジタル音声へ変換することと、楽曲に関するメタデータを識別することと、この識別されたメタデータをデジタル音楽ライブラリ内の楽曲と関連させることとを含んでいる。
【００３１】
デジタル音声をアナログ音声へ変換する段階と、アナログ楽曲及びその関連メタデータを無線送信機へ送信する段階とを、装置に実行させるためのプログラムコードを記憶している、コンピュータが読み出し可能な記憶媒体が記載されている。
【００３２】
アナログ音声を受信する段階と、このアナログ音声をデジタル音声へ変換する段階と、楽曲に関するメタデータを識別する段階と、この識別されたメタデータをデジタル音楽ライブラリ内の楽曲と関連させる段階とを、装置に実行させるためのプログラムコードを記憶している、コンピュータが読み出し可能な記憶媒体が記載されている。
【００３３】
音声を無線送信機へ転送するための装置が記載されている。この装置は、特定のＦＭ周波数での放送のためにアナログ楽曲がＦＭ無線送信機へ転送されるミニジャックと、その特定のＦＭ周波数の副搬送波であるラジオデータシステム（ＲＤＳ）へその楽曲に関するデジタルメタデータが転送されるＵＳＢソケットとを含んでいる。
【００３４】
音声を無線送信機へ転送するための方法が記載されている。この方法は、特定のＦＭ周波数での放送のためにアナログ楽曲をＦＭ無線送信機へ転送することと、その特定のＦＭ周波数の副搬送波であるラジオデータシステム（ＲＤＳ）へその楽曲に関するデジタルメタデータを転送することとを含んでいる。
【００３５】
特定のＦＭ周波数での放送のためにアナログ楽曲をＦＭ無線送信機へ転送する段階と、その特定のＦＭ周波数の副搬送波であるラジオデータシステム（ＲＤＳ）へその楽曲に関するデジタルメタデータを転送する段階とを、装置に実行させるためのプログラムコードを記憶している、コンピュータが読み出し可能な記憶媒体が記載されている。
【００３６】
本発明の実施形態のその他の特徴及び利点は、添付図面と次の詳細な説明とから明らかになるであろう。
【発明を実施するための最良の形態】
【００３７】
本発明の実施形態が例としてであって限定としてではなく添付図面用の形態で図解されており、添付図面では同じ参照番号は同様の要素を示している。
【００３８】
本発明の実施形態は、音楽放送局から記録された楽曲を、聴取者のデジタル音楽ライブラリに索引を付けるために必要なその楽曲のメタデータと共に、聴取者が自分のライブラリ中へ自動的にインポートすることを可能にする。聴取者は、自分が選択した何万もの楽曲を含んでいてその総てが検索及び引出しのために適切に索引を付けられている大きなデジタル音楽ライブラリを、殆ど苦労することなく、自動的に作成することができる。
【００３９】
更に、本発明の実施形態の追加的な特徴は、音楽放送局で放送される楽曲の中からどの楽曲が聴取者のライブラリ中へインポートされるべきかを、ジャンル、楽曲タイトル、アーティスト、アルバム、楽曲の長さ、及びその他の基準のうちの一つ以上に基づいて、聴取者が選択することを可能にする。
【００４０】
本発明の実施形態は、ケーブル放送局や衛星放送局によって放送される音楽チャンネルからデジタル音楽ライブラリを自動的に作成するための方法及びシステムに関係している。一つの実施形態では、放送されている楽曲が、個々の楽曲の各々に索引を付け且つアクセスしまた楽曲の演奏中の表示に必要なメタデータと共に、デジタル音楽ライブラリ中へ記録される。放送音楽から生成されたデジタル音楽ライブラリは、十分な検索能力及びアクセス能力を有する個々の楽曲の大きなライブラリとして機能する。
【００４１】
図２について述べると、この図２は、本発明の実施形態に従って処理するための、楽曲に関するメタデータを表示している、見本の映像フレーム２１０である。映像フレーム２１０は、『Ｍｕｓｉｃ  Ｃｈｏｉｃｅ』放送局の聴取者へ衛星によって放送されている。映像フレーム２１０は、一般に、ライブ音楽の放送中に聴取者のテレビに表示されている。図２に示されている様に、聴取者は、８０年代の楽曲のためのジャンルを選択し、『ライク・ア・バージン』というタイトルのアルバムからアーティスト『マドンナ』による『ライク・ア・バージン』というタイトルの楽曲を現在聞いている。楽曲に関連する種々の書誌的データは、『メタデータ』つまりデジタル音声データ自体に関する書誌的データと呼ばれる。
【００４２】
本発明の実施形態は、以下に記載されている様に、聴取者が、放送されている各々の楽曲をデジタル音楽ライブラリ中へ自動的にデジタル的に記録し且つジャンル、楽曲タイトル、アーティスト、及びアルバムタイトルに従って各々の楽曲に索引を付けることを可能にするシステムを提供する。更に、本発明の実施形態は、放送されている楽曲の総てを記録するのではなく、特に、ジャンル、楽曲タイトル、またはアーティストを指定することによって、自動的に記録されるべき楽曲を聴取者がフィルタにかけることを可能にする。このシステムが稼働中に聴取者が同席している必要はない。本発明の実施形態は、楽曲の大きなライブラリの自動生成を可能にする。
【００４３】
図３について述べると、この図３は、本発明の実施形態に従っているデジタル音楽ライブラリ作成装置の簡略化されたブロック図である。図３中には、ケーブルエンターテイメントまたは衛星エンターテイメントを家庭３１０へ放送している放送局３０５が示されている。この放送エンターテイメントは、衛星受信機またはケーブル受信機３１５によって家庭３１０内で受信され、家庭のテレビ３２０またはその他の表示装置によって家庭の視聴者に演奏される。
【００４４】
衛星受信機またはケーブル受信機３１５の音声出力はＡ／Ｄ変換器３２５によってアナログからデジタルへ変換される。この変換されたデジタル音声はメモリバッファ３３０に書き込まれる。もし衛星受信機またはケーブル受信機３１５が音声出力用の光接続または同軸接続を含んでいれば、Ａ／Ｄ変換器３２５を必要とすることなく、デジタル音声を直接に抽出することができる。
【００４５】
楽曲抽出装置３３５は、デジタル音声を分析して、個々の楽曲の始めと終わりとに印を付ける。一つの実施形態では、楽曲抽出装置３３５は、純粋な会話の様な非音楽部分をフィルタにかけてデジタル音声から取り除き、一つの楽曲の終わりを次の楽曲の始めと重ねることを補償する。楽曲抽出装置３３５によって印を付けられたその様な各楽曲は、ハードドライブの様な記憶装置であるデジタル音楽ライブラリ３４０に書き込まれ、その後にメモリバッファ３３０から一括消去される。
【００４６】
図２に図解されている映像フレーム２１０の様な、テレビ３２０に表示中の映像フレームを映像フレームグラバ３４５がキャプチャする。映像フレーム２１０中の文字の様な文字を光学文字認識装置３５０が映像フレームから抽出する。映像フレーム２１０中のジャンル、楽曲タイトル、アーティスト名、及びアルバムタイトルの様な、現在の楽曲に関連するメタデータを、抽出された文字中でメタデータ生成装置３５５が識別する。メタデータ生成装置３５５によって識別されたメタデータは、次にデジタル音楽ライブラリ３４０に書き込まれ、対応する楽曲にリンクされる。
【００４７】
音声／映像放送の映像部分からメタデータが抽出される全処理は以下の通りである。一つの実施形態では一楽曲当たり１０〜２０フレームである多数のフレームが、放送局３０５によって放送された映像からキャプチャされる。このキャプチャされたフレームは、画面の所望の領域の鮮明な画像を作成するために、画像処理アルゴリズムを使用して処理される。この鮮明化された画像は、画面上における関連データの位置を指定している予め決められたテンプレートに従って、縁を切り落とされる。一つの実施形態では、その様なテンプレートは、パターンを認識するために複数の楽曲からの画面を分析することによって、生成されている。一つの実施形態では、その結果の縁を切り落とされた画像は、ツートンの白黒画像へ変換される。この白黒画像は光学文字認識装置３５０によって処理され、関連メタデータがメタデータ抽出装置３５５によって抽出される。
【００４８】
一つの実施形態では、抽出されたメタデータは、正確さを確保するために、Ｇｒａｃｅｎｏｔｅ（登録商標）データベースの様な内部ＣＤデータベースによって確かめられる。抽出されたメタデータが不完全であるかまたは不正確である状況において、略適合するデータベース中の項目にその抽出されたメタデータを適合させることによってメタデータを決定するための実施形態でも、その様な内部ＣＤデータベースが使用される。
【００４９】
点線を使用することによって図３中に示されている様に、ケーブル受信機または衛星受信機３１５からではなくテレビ３２０から音声信号と映像フレームとが抽出されてもよい。
【００５０】
放送局３０５によって放送されメタデータに従ってフィルタにかけられた楽曲をデジタル音楽ライブラリ３４０中へ選択的にインポートすることができる。特に、ジャンル、楽曲タイトル、アーティスト名、アルバムタイトル、及び楽曲の長さを含む一つ以上のメタデータに基づく基準を、放送された総ての楽曲のうちからインポートされるべき楽曲をフィルタにかけるために使用することができる。一つの実施形態では、ある楽曲をフィルタにかけるか否かを判定しつつその楽曲を記録するために、メモリバッファが使用される。
【００５１】
一つの実施形態では、デジタル音楽ライブラリ３４０中に既に含まれている楽曲は、聴取者が上書きすることをシステムに明示的に指示しない限り、上書きされない。
【００５２】
図４Ａについて述べると、この図４Ａは、本発明の実施形態に従ってデジタル音楽ライブラリを作成するための簡略化された動作流れ図である。動作４０５で、アナログ音声信号またはデジタル音声信号が、ケーブル受信機もしくは衛星受信装置からまたはテレビから受信される。もし動作４０５でアナログ信号が受信されていれば、動作４１０で、そのアナログ信号がデジタル音声へ変換される。このデジタル音声は動作４１５でメモリバッファ中に記憶される。
【００５３】
動作４２０で、ケーブル受信機もしくは衛星受信装置からまたはテレビから映像フレームがキャプチャされる。動作４２５で、キャプチャされた映像フレーム中の文字を認識するために文字認識が適用される。動作４３０で、この認識された文字からメタデータが識別される。一つの実施形態では、キャプチャされた映像フレーム用のテンプレートが、動作４２５及び４３０で補助として使用される。例えば、図２からの映像フレーム２１０に対応するテンプレートが、関連メタデータが決まって現れる画像の領域を示してもよい。動作４３５で、その識別されたメタデータがメモリバッファ中に記憶される。
【００５４】
動作４４０で、図４Ｂに関連してもっと詳細に記載されている様に、メモリバッファ中に記憶されているデジタル音声が、個々の楽曲を識別するために分析される。動作４４５で、メモリバッファ中に記憶されているメタデータが、対応する個々の楽曲と関連していると識別される。動作４５０で、個々の楽曲とそれらの関連メタデータとがデジタル音楽ライブラリへ書き込まれる。
【００５５】
テレビ画面上をインタレースするので、放送中の楽曲に関するメタデータを抽出することが可能であるためには、動作４２０で二つ以上の映像フレームをキャプチャすることが必要かもしれない。認識動作４２５の前に、文字の外観の輪郭を補正するために複数のフレームを平均化することが好ましい。
【００５６】
あるいはまた、認識動作４２５の前に文字の輪郭を補正するために、一つ以上のカラー映像フレームの輝度成分を抽出することができる。輝度の抽出は、光学文字認識の性能を低下させるカラーバースト雑音を除去するのに役立つ。
【００５７】
図４中の動作は図４Ａ中で番号を付されている順序とは異なる順序で実行されてもよい。例えば、音声処理のための動作４０５、４１０及び４１５は、映像処理のための動作４２０、４２５、４３０及び４３５よりも前または後または同時に実行されてもよい。
【００５８】
図４Ｂについて述べると、この図４Ｂは、ケーブル受信機もしくは衛星受信装置からまたはテレビから記録された音楽のデジタル音声部分のうちから個々の楽曲を識別するための信号処理方法の簡略化された流れ図であり、図４Ａ中の動作４４０に対応している。この記録されたデジタル音声は、一連の楽曲に対応している標本の信号ｓ（ｎ）を含んでいる。動作４５５で、記録された信号ｓ（ｎ）内において、第一の楽曲ｓ1（ｎ）と第二の楽曲ｓ2（ｎ）との間の移行が検出される。ケーブル受信機もしくは衛星受信装置からまたはテレビから放送された楽曲は、一般に、重なると共にフェードイン及びフェードアウトしており、その結果、これらの楽曲の分離を困難にしている。もし放送された楽曲が重なっていなければ、短い間隔の静寂または暗騒音によって移行が識別される。しかし、楽曲が重なっていれば、その様な静寂間隔が存在しないかもしれない。従って、動作４５５における様な放送された楽曲内での移行の自動検出は、難解であるが興味をそそる。
【００５９】
フェードイン及びフェードアウトの場合に典型的な様に、データストリームｓ（ｎ）が楽曲間で顕著なエネルギー減少を示せば、
【数１】
2007534030.tif 000003
の様な特性測定値は楽曲移行中に最小にされる。従って、楽曲の分離はｘ（ｎ）用の閾値に基づくことができる。その様な閾値は、ｘ（ｎ）の値に基づいてこの閾値を動的に調節することによって、微調整することができる。
【００６０】
楽曲間のエネルギー減少が顕著ではないデータストリームの場合には、代わりのアプローチは、
【数２】
2007534030.tif 000004
の様な特性測定値を使用することであり、ここで、Ｃ（ｖ，ｗ）は二つのベクトルｖとｗとの間の相関の程度であり、ｖi（ｎ）は周波数のうちでｉ番目の帯域内つまり範囲内の周波数に関する標本ｓ（ｎ）、ｓ（ｎ−１）、．．．、ｓ（ｎ−Ｎ＋１）の周波数に基づく特性を捕らえているベクトルである。上記の様に、楽曲の分離はｘ（ｎ）用の閾値に基づくことができる。この代わりのアプローチに関する動機は、一般に各楽曲のリズム及びメロディーにはそれ自身の特徴的な響きがあるということである。従って、一つの楽曲の間はベクトルｖi（ｎ）が相関する傾向にあり、移行後にはこれらのベクトルは顕著に変化する傾向にある。
【００６１】
動作４５５を実行するための上述の二つのアルゴリズムは楽曲間の移行を識別することへの二つの異なるアプローチを表しており、その他の実行可能なアルゴリズムが使用されてもよい。
【００６２】
動作４６０で、二つの楽曲間の重なりの間隔が検出される。移行を検出するためのアルゴリズムが、重なりの始め及び終わりを検出するために使用されてもよい。上述の様に、動作４６０を実行するためにその他の実行可能な信号処理アルゴリズムが使用されてもよい。
【００６３】
動作４６５で、一つの実施形態では動作４６０で検出された重なりを使用して、個々の楽曲ｓ1（ｎ）及びｓ2（ｎ）が結合信号ｓ（ｎ）から取り出される。ｓ1（ｎ）を取り出すためのアルゴリズムは、重なり間隔中のｓ1（ｎ）の値を予測するために、重なり間隔よりも前のｓ1（ｎ）つまりｓ（ｎ）の値を使用することである。ｓ1（ｎ）の予測値をｓ’1（ｎ）で表示すると、重なり間隔中のｓ2（ｎ）の値を予測するための予測値ｓ’2（ｎ）として、差ｓ1（ｎ）−ｓ’1（ｎ）が使用される。重なり間隔後のｓ2（ｎ）の値つまりｓ（ｎ）が予測値ｓ’2（ｎ）を修正するために使用され、この予測値ｓ’2（ｎ）が今度は予測値ｓ’1（ｎ）を修正するためにフィードバックする。予測とフィードバックとを繰り返すことによって、一般に収束された予測値ｓ’１（ｎ）及びｓ’２（ｎ）が得られる。上述の様に、動作４６５を実行するために、その他の実行可能な信号処理アルゴリズムが使用されてもよい。
【００６４】
本発明の代りの実施形態では、ある楽曲用のメタデータは、公知の楽曲に関する「指紋」のデータベースを使用してその楽曲を調べることによって、デジタル音声データから直接に決定される。ある楽曲の指紋は、その楽曲の知覚品質を捕らえている比較的小さなビットパターンである。楽曲の指紋はその楽曲のデジタル音声の標本から計算することができる。一つの実施形態では、多く公知の楽曲の指紋を、それらに関連する公知のメタデータと共に含んでいる、包括的なデータベースが生成される。次に、未知の楽曲に関連するメタデータを決定するために、その未知の楽曲の指紋が計算されて最も良い適合を見つけるためにそのデータベース内の指紋と比較される。データベース内の項目の指紋がその未知の楽曲の指紋と最もよく適合するその項目は、一般に、その未知の楽曲に関連しており捜し求められているメタデータを含んでいる。
【００６５】
この代りの実施形態では、図４Ａ中の動作４２５、４３０、及び４３５は必要ない。別の実施形態では、動作４２５、４３０、及び４３５が実行され、映像フレームからのメタデータの自動認識で生じるかもしれないあり得る誤りを修正するために、指紋のデータベースが使用される。
【００６６】
本発明は、本明細書中で『ネスト』と呼ばれているプログラマブル装置中で実施されており、この装置は、コンピュータと、ＭＰ３プレーヤ及びその他のデジタル音楽プレーヤと、並びに特に携帯電話、ＰＤＡ、家庭内ネットワーク装置、及びインターネット家電製品を含む内部にＭＰ３プレーヤまたはその他のデジタル音楽プレーヤを含んでいるその他の電子装置と、インタフェースすることができる。第一実施形態では、ネストは衛星受信機／ケーブル受信機３１５（図３参照）に結合される。第二実施形態では、ネストはテレビ３２０に結合される。第三実施形態では、ネストはＵＳＢ接続及びファイヤワイヤ接続を経由して種々の外部構成部に結合される。
【００６７】
総ての実施形態で、デジタル音楽ライブラリ３４０を記憶するメモリは、ネスト自体の中に位置している大きなハードディスクか、コンパクトディスクやメモリカードの様なもっと小さな一つ以上のリムーバブル記憶装置か、または、ハードディスクとリムーバブル記憶装置との組み合わせかの、何れであってもよい。大きなハードディスクの利点は、ことごとく探索及びアクセスすることのできる単一のライブラリへ聴取者の音楽ライブラリが統合されることである。コンパクトディスクの様なリムーバブル記憶装置の利点は、ＭＰ３プレーヤの様な携帯プレーヤへ聴取者がそのディスクを挿入することができることである。４０曲が平均して１２８ＭＢのデータを必要とし且つ１時間半の聴取に相当する量を含むと仮定すると、８０ＧＢの大きなハードディスクは約２５，６００曲のライブラリを保持することができる。６４０ＭＢのコンパクトディスクは約２００曲つまり約７時間半の聴取に相当する量を保持することができる。
【００６８】
本発明の一つの実施形態では、ネストは本明細書中で『受け台』とも呼ばれる一つ以上の交換ポートを含んでおり、ネストに記憶されているデジタル音楽ライブラリから、本明細書中で『エッグ』と呼ばれる一つ以上の携帯デジタル音楽プレーヤへ楽曲をロードするために、上記の交換ポートを介してこの携帯デジタル音楽プレーヤをネストに接続することができる。その様な交換ポートは、フィルム缶形状のエッグが挿入される円形または楕円形のポートであってよい。エッグはネストに『プラグで接続』中に楽曲を『装填』されてよい。
【００６９】
本発明の一つの実施形態では、本明細書中で『シェル』と呼ばれてＦＭ／ＲＦ送信機を含んでいるアダプタにエッグを接続することができる。このシェルを使用すれば、エッグ中に記憶されている楽曲を、自動車内のオーディオデッキの様なラジオで演奏することができる。このシェルは、エッグからのアナログ音声出力を受信して、周波数のリストのうちからユーザの選択可能な周波数でその音声をＦＭラジオへ放送する。更に、シェルはラジオデータシステム（ＲＤＳ）送信で楽曲と同時にメタデータを送信する。あるいはまた、ユーザの選択可能な周波数を使用する代わりに、エッグは一つ以上の未使用のＦＭ周波数のリストをシェルへ送信してもよい。
【００７０】
図５について述べると、この図５は、本発明の実施形態に従っている音楽プレーヤつまり『エッグ』の簡略化された斜視図である。図５中には、演奏中の楽曲に関するメタデータを見るための表示装置５１０を含む携帯エッグ５００が示されている。エッグ５００は、ネストから楽曲をロードされ、プレーヤとして機能する。図５中には、ジョグダイヤル５２０及びヘッドホンを挿入するためのミニジャック５３０も示されている。
【００７１】
図６Ａ−６Ｇについて述べると、これらの図６Ａ−６Ｇは、本発明の実施形態に従っているネストの簡略化された斜視図である。図６Ａは、ナビゲーション用のボタン６１０及びスクロールホイール６１５付きのユーザインタフェース表示装置６０５を含んでおり、且つ四つのエッグ６２０用のスロットを含んでいる、ネスト６００の正面図である。図６Ａ中には、ヘッドホンを挿入するためのミニジャック６２５、オン／オフボタン６３０、緑色ＬＥＤ及び黄色ＬＥＤ６３５、並びに記録ボタン６４０も示されている。図６Ｂ、６Ｃ、及び６Ｄは、ネスト６００の側面図である。図６Ｃは、メモリカード用のスロット６４５、他人のＭＰ３プレーヤをネストに接続するためのＵＳＢソケット６５０、及びＩＥＥＥ１３９４装置をネストに接続するためのＩＥＥＥ１３９４ソケット６５５を有する、ネスト６００の側面を示している。図６Ｄは、直流電源用のスロット６６０、音声入力及び映像入力用のスロット６６５、音声出力及び映像出力用のスロット６７０、並びにコネクティビティスロット６７５を有する、ネスト６００の背面を示している。コネクティビティスロット６７５は、イーサネット（登録商標）サポート、ブルートゥースサポート、及び８０２．１１系コネクティビティに使用されることが好ましい。図６Ｅは、ネスト用の基部支持体６８０とリムーバブルディスクドライブ６８５とを示している、ネスト６００の右側面図である。図６Ｆ及び６Ｇは、エッグ６２０がスロット６９０中へ夫々挿入されている場合と挿入されていない場合との、ネスト６００の平面図である。
【００７２】
図７Ａ及び７Ｂについて述べると、これらの図７Ａ及び７Ｂは、本発明の実施形態に従っているアダプタつまり『シェル』の簡略化された斜視図である。シェル７００は、エッグによって演奏されたアナログ音声を自動車内のオーディオデッキの様なラジオへ放送するために使用される。図７Ａはシェルの正面図である。図７Ｂは、雄型ＵＳＢコネクタ７１０と雄型ＲＣＡ音声コネクタ７２０とを示している、シェル７００の平面図である。
【００７３】
図８Ａ−８Ｆについて述べると、これらの図８Ａ−８Ｆは、本発明の実施形態に従っているエッグとシェルとの組み合わせの簡略化された斜視図である。図８Ａ中には、シェル８００とエッグ５００とが示されている。エッグ５００の下部に、雌型ＵＳＢコネクタ８１０と雌型音声／映像ＲＣＡコネクタ８２０とがある。
【００７４】
ネストのための一般的な使用概要は、以下の通りである。聴取者は、−−一つの実施形態では、Ｍｕｓｉｃ  Ｃｈｏｉｃｅ（登録商標）の様な広告放送のないラジオ放送局からの−−特定の音楽チャンネルに自分のケーブル受信機ボックスまたは衛星受信機ボックスを設定して、この音楽チャンネルからの楽曲をキャプチャするためにネストを作動させる。ネストは、デジタル音楽ライブラリを自動的に作成して、放送された楽曲をここにインポートする。その後、聴取者は、エッグをネストにプラグで接続して、選択した楽曲を音楽ライブラリからエッグへロードする。もしネストが聴取者のスピーカシステムに接続されていれば、あちこちの部屋のスピーカへネストから聴取者が音楽を送ってもよい。もしネストが家庭内ネットワークに接続されていれば、ネストと共に作動することを許可されているコンピュータへ聴取者が音声を流してもよい。
【００７５】
本発明の一つの実施形態では、ネスト６００は、二種類の入出力インタフェース、つまり、ネストによって元々サポートされている入出力インタフェースと、ネットワークに接続された時にサポートされる入出力インタフェースとを、サポートしている。具体的に言うと、これらの入出力インタフェースは下記のもののうちの一つ以上を含んでいる。
【表１】
2007534030.tif 000005
【００７６】
本発明の一つの実施形態では、相互作用及びネストからのデータを見るための前面パネルインタフェースとして使用されるハードウェア構成部と、ネストに機能性を与えるために必要なハードウェア構成部とを、ネストが含んでいる。具体的に言うと、ネストのユーザインタフェース構成部は下記のもののうちの一つ以上を含んでいる。
【表２】
2007534030.tif 000006
【００７７】
ネストの機能構成部は下記のもののうちの一つ以上を含んでいる。
【表３】
2007534030.tif 000007
【００７８】
本発明の一つの実施形態では、ネストは、ソフトウェアドライバと、もっと後のバージョンがリリースされたときに追加のドライバのサポートを可能にする適切な設備とを含んでいる。具体的に言うと、ネストは下記のデバイスドライバのうちの一つ以上を含んでいる。
【表４】
2007534030.tif 000008
【００７９】
本発明の一つの実施形態では、エッグは三つの入出力インタフェースをサポートしている。具体的に言うと、これらの入出力インタフェースは下記のものを含んでいる。
【表５】
2007534030.tif 000009
【００８０】
一つの実施形態では、エッグのユーザインタフェース構成部は下記のものを含んでいる。
【表６】
2007534030.tif 000010
【００８１】
一つの実施形態では、エッグは下記のソフトウェア入出力ドライバを含んでいる。
【表７】
2007534030.tif 000011
【００８２】
本発明の一つの実施形態によると、エッグで演奏中の楽曲及びプレイリストを使用者の自動車のデッキを介して聞く能力をシェルが提供する。具体的に言うと、シェルは下記の入出力インタフェースのうちの一つ以上を含んでいる。
【表８】
2007534030.tif 000012
【００８３】
一つの実施形態では、シェルは下記のハードウェア構成部を含んでいる。
【表９】
2007534030.tif 000013
【００８４】
本発明の一つの実施形態では、ネストは下記の機能のうちの少なくとも一つを含んでいる。
【表１０】
2007534030.tif 000014
【００８５】
本発明の一つの実施形態では、ネスト装置及びエッグ装置はこれらの装置中のソフトウェアをアップデートするための機構をサポートしている。ソフトウェアの最新版は、下記のもののうちの一つ以上によってネストへ運ばれる。
・小売環境にある様なキオスクを介してソフトウェアをエッグに置くこと。その後にそのエッグがネストの受け台中に置かれると、そのソフトウェアの最新版がネストに渡され、ネストが自分自身をアップデートし必要に応じてエッグをもアップデートする。
・ソフトウェアは、映像送信の形態で、例えば、垂直ブランキングラインを介して、またはその他の映像系データ転送機構もしくは音声系データ転送機構を介して、放送機関を経由して受け取られる。
・ソフトウェアは、ネストのコネクティビティコネクタを介して、インターネットを経由して受け取られる。
【００８６】
本発明の一つの実施形態では、エッグのソフトウェアアップデート及びネストのソフトウェアアップデートには回復方法があるので、ソフトウェアアップデート中に電力が供給されなくなると、例えばソフトウェアアップデート中にエッグが引き抜かれと、前のソフトウェアバージョンへ戻るために巻き戻しを行うことができる。
【００８７】
本発明の一つの実施形態では、エッグは下記の機能のうちの少なくとも一つを含んでいる、（ｉ）楽曲を演奏すること、（ｉｉ）プレイリストを選択してそれを演奏すること、（ｉｉｉ）次の楽曲及び前の楽曲、（ｉｖ）早送り及び巻き戻し、（ｖ）状態の確認，及び（ｖｉ）一つのエッグから別のエッグへの楽曲またはプレイリストの転送。
【００８８】
エッグはＵＳＢコネクタを介して制御指令を受信してよい。（上記の表Ｖを参照のこと。）具体的に言うと、
・ネストに接続されると、このネストは、次の楽曲へ進むための指令の様な制御指令をエッグへ発してよく、
・シェルに接続されると、このシェルは、未使用のＦＭ周波数を探すための指令の様な制御指令をエッグへ発してよく、
・家庭の室内におけるエッグ用の結合機構の様な結合機構に接続されると、この結合機構は、使用者によって発せられた赤外線指令を受信し、ＵＳＢコネクタ経由のエッグへの制御指令にそれらを翻訳してよい。
【００８９】
図９について述べると、この図９は、本発明の一つの実施形態に従っている、音楽ライブラリ自動作成装置とその他の装置との相互接続性を図解している簡略化されたブロック図である。図９には、音楽チャンネルを放送するケーブル受信機または衛星受信機９２０から音声及び映像フィードを受信する音楽ライブラリ自動作成装置９１０が示されている。音楽ライブラリ作成装置９１０は、予め定められている聴取者の設定及び好みに従って放送されている楽曲を任意的にフィルタにかけながら、本発明の一つの実施形態に従ってＭＰ３音楽データベースを生成する。
【００９０】
音楽ライブラリ作成装置９１０は、コンピュータ９３０及び携帯情報端末（ＰＤＡ）９４０と任意的に相互接続する。聴取者の設定及び好みは、コンピュータ９３０またはＰＤＡ９４０上で設定してそこから音楽ライブラリ作成装置９１０へロードすることができる。コンピュータ９３０またはＰＤＡ９４０を使用することによって、音楽ライブラリ作成装置９１０をプログラム及び制御することができる。赤外線（ＩＲ）信号または無線周波数（ＲＦ）信号を使用する遠隔制御装置９５０を使用することによって、音楽ライブラリ作成装置９１０を制御することもできる。
【００９１】
音楽ライブラリ自動作成装置９１０がＭＰ３データベースの様なデジタル音楽データベースを生成した後に、再生のために、適切なデジタル著作権管理（ＤＲＭ）アルゴリズムと共に、そのデータベースをコンピュータ９３０へ流すかまたはＰＤＡ９４０へ転送することができる。あるいはまた、コンパクトディスクやメモリカードの様なリムーバブル記憶装置を介して、ＭＰ３プレーヤ能力付き携帯装置９６０へ、そのデータベースを転送することができる。
【００９２】
一つの実施形態では、音楽ライブラリ自動作成装置９１０は、たとえ制限されたユーザインタフェースであっても、聴取者が自分のデジタル音楽ライブラリへ自動的にインポートされる楽曲を選択し且つ分類することを可能にするユーザインタフェースを含んでいる。本発明の代りの実施形態では、聴取者は、自分のコンピュータ上またはＰＤＡ上で自分の設定を指定し、その後にＵＳＢケーブルまたは記憶媒体を使用することによって本発明の実施形態の装置へこれらの設定をロードすることができる。
【００９３】
一つの実施形態では、そのユーザインタフェースは、現在の楽曲、はい／いいえインジケータ、及び既に記録されている楽曲の累積数を表示する。一つの実施形態では、そのユーザインタフェースは、使用者が現在の記憶装置に記録されている総ての楽曲の索引を見ること及び総ての記憶装置に記録されている総ての楽曲の索引を見ることをも可能にする。
【００９４】
本発明の代りの実施形態では、音楽ライブラリ自動作成装置９１０はユーザインタフェースを表示するためにテレビ９７０を使用する。一つの実施形態では、ライブラリ自動作成装置９１０はテレビ９７０に接続するために使用することのできる映像出力コネクタを含んでいる。テレビ９７０に表示されているメニュー画面からの選択は遠隔制御装置９５０の様な制御装置を使用することによって行われ、この制御装置には一つの実施形態では左右上下用の方向ボタン及び選択用のボタンがある。
【００９５】
本発明の強化された実施形態は、デジタル著作権管理を組み入れている。具体的に言うと、楽曲に関するメタデータはその楽曲が放送音楽チャンネルで演奏された回数を含むこともできる。その様な数は、聴取者が別のデジタル音楽プレーヤによって自分の音楽ライブラリからその楽曲にアクセスすることのできる回数を制限するために使用される。
【００９６】
上記の説明を読めば、当業者は、説明されている方法及び装置に適用することのできる多くの明白な変更が存在することを理解するであろう。例えば、図３、４に関連して、アナログ音声フレーム及びメタデータを含む映像フレームが、単一の出所ではなく色々な出所からキャプチャされてもよいことが分かるであろう。放送されている楽曲に関するメタデータは、例えば放送局のインターネットサイトで利用可能であってもよい。
【００９７】
あるいはまた、放送されている楽曲に関するメタデータは、メタデータを含むラジオの表示画面の写真を撮影するビデオカメラまたは静止画像カメラから抽出されてもよい。例えば、ＸＭ衛星ラジオ及びＳｉｒｉｕｓ衛星ラジオはそれらの画面にメタデータを表示する。放送局はしばしば暗号化形式のメタデータを送信するので、カメラの使用は暗号化データストリームを解読する必要なしにメタデータの判定を可能にする。
【００９８】
本発明の代わりの実施形態では、メタデータが例えば垂直帰線消去チャンネル中のデータとして映像放送中に含まれていてもよい。その様な実施形態では、本発明は垂直帰線消去チャンネルからの抽出によってメタデータを得る。
【００９９】
本発明のエッグがネストに加えてその他の装置からデジタル音楽を受信してもよいことが分かるであろう。従って、エッグは、購入の前に楽曲を聞くために使用される、音楽流通店内に置かれている音楽キオスクの様なキオスクと互換性があってもよい。一つの実施形態では、エッグがネストと共に返却されると、他の装置から受信されてそのエッグ内に記憶されているデジタル音楽はそのネストにアーカイブされる。
【０１００】
以上の明細書では、本発明がその具体的な代表実施形態に関連して説明された。しかし、本発明のもっと広い精神及び範囲から逸脱することなくこれらの具体的な代表実施形態に対して種々の改造及び変更が行われてもよいことは明白であろう。従って、明細書及び図面は制限的意味ではなく説明的意味で考察されるべきである。
【図面の簡単な説明】
【０１０１】
【図１】ウィンドウズ（登録商標）メディアプレーヤ用である先行技術のユーザインタフェースの図解であり、メタデータと表示されている個々の楽曲にアクセスするための索引とを示している。
【図２】本発明の実施形態に従って処理するための、楽曲に関するメタデータを表示している見本の映像フレームである。
【図３】本発明の実施形態に従っているデジタル音楽ライブラリ作成装置つまり『ネスト』の簡略化されたブロック図である。
【図４Ａ】本発明の実施形態に従ってデジタル音楽ライブラリを作成するための簡略化された動作流れ図である。
【図４Ｂ】本発明の実施形態に従って、ケーブル受信機もしくは衛星受信機からまたはテレビから記録された音楽のデジタル音声部分のうちから個々の楽曲を識別するための信号処理方法の簡略化された流れ図である。
【図５】本発明の実施形態に従っている音楽プレーヤつまり『エッグ』の簡略化された斜視図である。
【図６Ａ】本発明の実施形態に従っているネストの簡略化された斜視図である。
【図６Ｂ】本発明の実施形態に従っているネストの簡略化された斜視図である。
【図６Ｃ】本発明の実施形態に従っているネストの簡略化された斜視図である。
【図６Ｄ】本発明の実施形態に従っているネストの簡略化された斜視図である。
【図６Ｅ】本発明の実施形態に従っているネストの簡略化された斜視図である。
【図６Ｆ】本発明の実施形態に従っているネストの簡略化された斜視図である。
【図６Ｇ】本発明の実施形態に従っているネストの簡略化された斜視図である。
【図７Ａ】本発明の実施形態に従っているアダプタつまり『シェル』の簡略化された斜視図である。
【図７Ｂ】本発明の実施形態に従っているアダプタつまり『シェル』の簡略化された斜視図である。
【図８Ａ】本発明の実施形態に従っている、エッグとシェルとの組み合わせの簡略化された斜視図である。
【図８Ｂ】本発明の実施形態に従っている、エッグとシェルとの組み合わせの簡略化された斜視図である。
【図８Ｃ】本発明の実施形態に従っている、エッグとシェルとの組み合わせの簡略化された斜視図である。
【図８Ｄ】本発明の実施形態に従っている、エッグとシェルとの組み合わせの簡略化された斜視図である。
【図８Ｅ】本発明の実施形態に従っている、エッグとシェルとの組み合わせの簡略化された斜視図である。
【図８Ｆ】本発明の実施形態に従っている、エッグとシェルとの組み合わせの簡略化された斜視図である。
【図９】本発明の実施形態に従っている、ネストとその他の装置との相互接続性を図解している簡略化されたブロック図である。
【図１】
2007534030.tif 000015
【図２】
2007534030.tif 000016
【図３】
2007534030.tif 000017
【図４Ａ】
2007534030.tif 000018
【図４Ｂ】
2007534030.tif 000019
【図５】
2007534030.tif 000020
【図６Ａ】
2007534030.tif 000021
【図６Ｂ】
2007534030.tif 000022
【図６Ｃ】
2007534030.tif 000023
【図６Ｄ】
2007534030.tif 000024
【図６Ｅ】
2007534030.tif 000025
【図６Ｆ】
2007534030.tif 000026
【図６Ｇ】
2007534030.tif 000027
【図７Ａ】
2007534030.tif 000028
【図７Ｂ】
2007534030.tif 000029
【図８Ａ】
2007534030.tif 000030
【図８Ｂ】
2007534030.tif 000031
【図８Ｃ】
2007534030.tif 000032
【図８Ｄ】
2007534030.tif 000033
【図８Ｅ】
2007534030.tif 000034
【図８Ｆ】
2007534030.tif 000035
【図９】
2007534030.tif 000036
【国際調査報告】
2007534030.tif 000037
2007534030.tif 000038
2007534030.tif 000039
2007534030.tif 000040
2007534030.tif 000041
2007534030.tif 000042